(57)【特許請求の範囲】
【請求項１】
受信機前面パネルに、操作部位を外部に露出して配置した第１操作部と、前記第１操作部の下側に、操作部位の外側を覆って下向きに開閉自在な小扉を設けた第２操作部とを備えた火災受信機に於いて、
前記第１操作部の両側に形成したスリット穴と、
前記第１操作部の両側に形成したスリット穴の各々に着脱自在に嵌合して支持される一対の取付部材と、
前記一対の取付部材にビス止めにより着脱自在に取付けられ、前記第１操作部の前面を覆うと共に下側を前記小扉の前に位置して閉鎖状態に保持する保護プレートと、
を設けたことを特徴とする火災受信機。
【請求項２】
請求項１記載の火災受信機に於いて、
前記第１操作部は、両側の上下２箇所に前記スリット穴を形成し、
前記取付部材は、短冊状の本体部の上下から外側に向けて前記第１操作部のスリット穴の各々に嵌合する一対の嵌合片を一体に形成すると共に、前記本体部に形成した一対の嵌合片の間を前方に起立した後に前面パネルに平行に屈曲して前記保護プレートを固定支持するプレート取付部を一体に形成し、上下及び左右を入れ替えても前記第１操作部のスリット穴に嵌合自在な対称構造を備えたことを特徴とする火災受信機。
【請求項３】
請求項１記載の火災受信機に於いて、前記一対の取付部材は、前記第１操作部の両側に嵌合した場合に、前記第２操作部を閉鎖している前記小扉の上縁に下端を当接して位置決めする位置決め構造を備えたことを特徴とする火災受信機。
【請求項４】
請求項２記載の火災受信機に於いて、
前記第１操作部の片側のスリット穴は前記取付部材の嵌合片の幅に適合した第１スリット幅に形成し、前記第１操作部の反対側のスリット穴は前記取付部材の嵌合片の幅を超える所定の第２スリット幅に形成し、
前記第１操作部の片側に一方の取付部材を取付した状態で、前記保護プレートの反対側に固定した他方の取付部材の嵌合片を前記第２スリット幅のスリット穴に斜め上方から嵌合して前記保護プレートを下向きに回動することで、前記第１操作部の片側に嵌合した前記一方の取付部材の前面に前記保護プレートを位置させて取付固定する構造を備えたことを特徴とする火災受信機。
【請求項５】
請求項２記載の火災受信機に於いて、前記一対の取付部材に対する前記保護プレートのビス止めによる取付状態で、前記保護プレートを上方に移動して前記第１操作部の操作を可能とするスライド構造を設けたことを特徴とする火災受信機。
【請求項６】
請求項５記載の火災受信機に於いて、前記スライド構造は、前記保護プレートのビス穴を上方にスライド自在な所定長の長穴としたことを特徴とする火災受信機。
【請求項７】
請求項５記載の火災受信機に於いて、前記スライド構造は、前記第１操作部の両側のスリット穴を前記取付部材を上下にスライド可能な所定のスリット幅としたことを特徴とする火災受信機。
【発明の詳細な説明】
【技術分野】
【０００１】
本発明は、操作部の前に透明な保護プレートを取付けて保護するようにした火災受信機に関する。
【背景技術】
【０００２】
従来、火災報知設備に設けられた例えばＰ型の火災受信機にあっては、火災受信機から引き出された回線に発信機や火災感知器等を接続して回線単位に火災を監視しており、火災が発生した場合には、音響や表示灯によって管理人等の建物関係者に火災警報を出力すると共に、火災発生階及び直上階に設置した地区音響装置から地区音響警報を出力するようにしている。
【０００３】
また、複数の住棟を防災センタ等で監視する規模の大きな火災報知設備にあっては、住棟毎に火災受信機を設け、防災センタで集中監視しており、住棟毎に設置した火災受信機は共有スペース等の人が出入りする場所に設置する場合がある。
【０００４】
このように人の出入りする場所に火災受信機を設置した場合、火災受信機の操作部に物が当ると誤ったスイッチ操作が行われることから、操作部の前にアクリル板等を使用した透明な保護プレートを取付けるようにしている。
【０００５】
図１５は従来の火災受信機に対する保護プレートの取付構造を示した説明図である。図１５（Ａ）に示すように、火災受信機１００の受信機パネル１０２には、火災代表点灯、障害代表点灯、地区表示灯を配置した表示部１０４が設けられ、その下に外部に露出して操作部１０６が設けられ、操作部１０６の下に設けた小扉１０８の内側に別の操作部を設けている。保護プレート１１０の取付けは、操作部１０６の両側に取付部材１１２を取付け、保護プレート１１０をビス１１４により固定している。
【０００６】
操作部１０６に対する取付金具１１２の取付けは、図１５（Ｂ）に示すように、扉構造の受信機パネル１０２を開いて、表示部１０４及び操作部１０６の裏側に配置している回路基板の取付カバーのビスを緩めて開口部の間に隙間を形成し、この隙間に取付部材１１２を差し込んで取付カバーのビスを締めることで固定している。
【０００７】
図１６は従来の火災受信機に対する保護プレートの別の取付け構造を示した説明図である。この場合は図１６（Ａ）に示すように、操作部１０６の両側に取付部材１１２をビス１１４で取付固定し、続いて図１６（Ｂ）に示すように、取付部材１１２に対し保護プレート１１０をビス１１４により固定している。
【先行技術文献】
【特許文献】
【０００８】
【特許文献１】特開平７−２６２４６９号公報
【特許文献２】特開平１０−１２４７６８号公報
【発明の概要】
【発明が解決しようとする課題】
【０００９】
しかしながら、このような従来の火災受信機に対する保護プレートの取付構造にあっては、火災受信機の操作部の両側に取付部材を固定するため、受信機パネルを開いて内側からビスを緩めて挟み込んだり、操作部の両側に取付部材をビス止め固定するといった作業が必要となり、操作部両側の内側に窪んだ狭いスペースに取付部材をビス止め等により固定する作業になることから、取付部材の取付け固定に手間と時間がかかり、保護プレートを取付固定するまでの作業が煩雑になるという問題がある。
【００１０】
本発明は、簡単な構造により操作部前面に保護プレートを容易に取付け可能とする火災受信機を提供することを目的とする。
【課題を解決するための手段】
【００１１】
（火災受信機の保護プレート取付構造）
本発明は、受信機前面パネルに、操作部位を外部に露出して配置した第１操作部と、第１操作部の下側に、操作部位の外側を覆って下向きに開閉自在な小扉を設けた第２操作部とを備えた火災受信機に於いて、
第１操作部の両側に形成したスリット穴と、
第１操作部の両側に形成したスリット穴の各々に着脱自在に嵌合して支持される一対の取付部材と、
一対の取付部材にビス止めにより着脱自在に取付けられ、第１操作部の前面を覆うと共に下側を小扉の前に位置して閉鎖状態に保持する保護プレートと、
を設けたことを特徴とする。
【００１２】
（取付部材）
第１操作部は、両側の上下２箇所にスリット穴を形成し、
取付部材は、短冊状の本体部の上下から外側に向けて第１操作部のスリット穴の各々に嵌合する一対の嵌合片を一体に形成すると共に、本体部に形成した一対の嵌合片の間を前方に起立した後に前面パネルに平行に屈曲して保護プレートを固定支持するプレート取付部を一体に形成し、上下及び左右を入れ替えても第１操作部のスリット穴に嵌合自在な対称構造を備える。
【００１３】
（取付部材の小扉による位置決め構造）
一対の取付部材は、第１操作部の両側に嵌合した場合に、第２操作部を閉鎖している小扉の上縁に下端を当接して位置決めする位置決め構造を備える。
【００１４】
（保護プレートの回動による取付固定）
第１操作部の片側のスリット穴は取付部材の嵌合片の幅に適合した第１スリット幅に形成し、第１操作部の反対側のスリット穴は取付部材の嵌合片の幅を超える所定の第２スリット幅に形成し、
第１操作部の片側に一方の取付部材を嵌合した状態で、保護プレートの反対側に固定した他方の取付部材の嵌合片を第２スリット幅のスリット穴に斜め上方から嵌合して保護プレートを下向きに回動することで、第１操作部の片側に取付けた一方の取付部材の前面に保護プレートを位置させて取付固定する構造を備える。
【００１５】
（保護プレートのスライド構造）
一対の取付部材に対する保護プレートのビス止めによる取付固定状態で、保護プレートを上方に移動して第１操作部の操作を可能とするスライド構造を設ける。このスライド構造は、保護プレートのビス穴を上方にスライド自在な所定長の長穴とする。また、スライド構造は、第１操作部の両側のスリット穴を、取付部材を上下にスライド可能な所定のスリット幅としても良い。
【発明の効果】
【００１６】
（基本的な効果）
本発明は、受信機前面パネルに、操作部位を外部に露出して配置した第１操作部と、第１操作部の下側に、操作部位の外側を覆って下向きに開閉自在な小扉を設けた第２操作部とを備えた火災受信機に於いて、第１操作部の両側に形成したスリット穴と、第１操作部の両側に形成したスリット穴の各々に着脱自在に取付けて支持される一対の取付部材と、一対の取付部材にビス止めにより着脱自在に取付けられ、第１操作部の前面を覆うと共に下側を小扉の前に位置して閉鎖状態に保持する保護プレートとを設けるようにしたため、第１操作部の両側に対する取付部材の取付は、スリット穴に対する取付部材の嵌合で済み、ビス止めによる取付固定を必要としないことから、取付部材の火災受信機に対する取付け作業が容易となり、保護プレートの取付けにより、操作部に外部から物が当たっても操作されないように確実に保護することを可能とする。
【００１７】
また、保護プレートを取付け固定すると、小扉も閉鎖状態に保持され、外部から小扉に物が当たっても開くことはなく、小扉内に設けたスイッチを確実に保護する。
【００１８】
（取付部材による効果）
また、第１操作部は、両側の上下２箇所にスリット穴を形成し、取付部材は、短冊状の本体部の上下から外側に向けて第１操作部のスリット穴の各々に嵌合する一対の嵌合片を一体に形成すると共に、本体部に形成した一対の嵌合片の間を前方に起立した後に内側に屈曲して保護プレートを固定支持するプレート取付部を一体に形成し、上下及び左右を入れ替えても第１操作部のスリット穴に嵌合自在な対称構造を備えるようにしたため、取付部材の嵌合片を第１操作部のスリット穴に横から差し込んで嵌合することで、簡単且つ容易に取付ることができ，また、取外しも簡単且つ容易にできる。
【００１９】
また、一対の取付部材は第１操作部の左右のスリット穴に対する位置や向きの制約はなく、取付部材を左右入れ替えても、スリット穴に差し込んで嵌合することができ、取付部材を左右で区別する必要がないことから、作業性に優れる。
【００２０】
（取付部材の小扉による位置決め構造の効果）
また、一対の取付部材は、第１操作部の両側に取付した場合に、第２操作部を閉鎖している小扉の上縁に下端を当接して位置決めする位置決め構造を備えるようにしたため、第２操作部の小扉を閉じた状態で、第１操作部の両側のスリット穴に取付金具の嵌合片を差し込むことで、ビス等に取付金具を固定していなくとも、保護プレートのビス止めに対応した位置決めが可能となり、小扉による取付部材の位置決めにより、保護プレートのビス止めによる取付作業を容易に行うことを可能とする。
【００２１】
（保護プレートの回動による取付固定の効果）
また、第１操作部の片側のスリット穴は取付部材の嵌合片の幅に適合した第１スリット幅に形成し、第１操作部の反対側のスリット穴は取付部材の嵌合片の幅を超える所定の第２スリット幅に形成し、第１操作部の片側に一方の取付部材を取付した状態で、保護プレートの反対側に固定した他方の取付部材の嵌合片を第２スリット幅のスリット穴に斜め上方から嵌合して保護プレートを下向きに回動することで、第１操作部の片側に取付した一方の取付部材の前面に保護プレートを位置させて取付固定する構造を備えるようにしたため、第１操作部の片側のスリット穴に一方に取付部材の嵌合片を嵌合して取付けた状態で、保護プレートにビス止め固定している他方の取付部材を、第１操作部の反対側のスリット幅の広いスリット穴に斜め上方から差し込んで回動することにより、簡単且つ容易に取付部材による保護プレートの取付け作業を可能とする。
【００２２】
（保護プレートのスライド構造による効果）
また、一対の取付部材に対する保護プレートのビス止めによる取付状態で、保護プレートを上方に移動して第１操作部の操作を可能とするスライド構造を設け、例えば、スライド構造は、保護プレートのビス穴を上方にスライド自在な所定長の長穴とするか、或いは、スライド構造は、第１操作部の両側のスリット穴を、取付部材を上下にスライド可能な所定のスリット幅とするようにしたため、点検等で保護プレートを設けた火災受信機の操作を必要とした場合、保護プレートを取り外すことなく、スライドさせることで第１操作部の操作を簡単に行うことを可能とする。また、第２操作部を閉鎖している小扉を開いて操作を簡単に行うことを可能とする。
【図面の簡単な説明】
【００２３】
【図１】火災受信機の実施形態を小扉を開けた状態で示した説明図
【図２】火災受信機の操作部に対する保護プレートの組立分解構造を示した説明図
【図３】操作部に保護プレートを取り付けた火災受信機を示した説明図
【図４】操作部に対する保護プレートの組立分解構造を取り出して示した説明図
【図５】取付部材を正面、側面及び平面で示した説明図
【図６】左右一対で用いる取付部材を示した説明図
【図７】操作部の両側に形成したスリット穴の部分を個別に取り出して示した説明図
【図８】取付部材による保護プレートの取付構造を側面から取出して示した説明図
【図９】保護プレートを回動操作により取付ける火災受信機の構造を示した説明図
【図１０】図９の火災受信機の操作部両側に形成したスリット穴の部分を個別に取り出して示した説明図
【図１１】保護プレートのスライド穴により移動自在とした火災受信機を示した説明図
【図１２】図１２の火災受信機で保護プレートを移動した状態を示した説明図
【図１３】操作部両側に形成した取付部材の移動させるスリット穴の部分を個別に取り出して示した説明図
【図１４】図１３の火災受信機で保護プレートを移動した状態を示した説明図
【図１５】従来の火災受信機における保護プレートの取付構造を示した説明図
【図１６】従来の火災受信機における別の保護プレートの取付構造を示した説明図
【発明を実施するための形態】
【００２４】
［火災受信機の概要］
図１は火災受信機の実施形態を小扉を開いた状態で示した説明図である。図１に示すように、火災型受信機１０は建物の防災センタや管理人室等に設置されており、発信機や火災感知器等を信号回線により接続して火災を監視し、また、警報回線に地区音響装置等を接続している。
【００２５】
火災受信機１０は箱形の本体１１と扉構造の受信機パネル１２で構成している。受信機パネル１２には、表示部１４及び第１操作部１６を配置しており、第１操作部１６の下側には開閉自在な小扉２０を設けた第２操作部１８を配置している。
【００２６】
表示部１４には各種代表灯、地区表示灯、各種書表示灯等を設けている。
【００２７】
第１操作部１６には、管理者が使用する各種スイッチ等を外部に露出して設けている。第２操作部１８には、保守点検や回線登録の際に使用する各種のスイッチを設けており、通常監視状態では小扉２０を閉じており、点検作業等を行う場合に、小扉２０を下側に開いて必要なスイッチ操作を行う。
【００２８】
［操作部の保護構造］
図２は火災受信機の操作部に対する保護プレートの組立分解構造を示した説明図、図３は操作部に保護プレートを取り付けた火災受信機を示した説明図である。
【００２９】
火災受信機１０を人通りのある場所等に設置する場合には、図２及び図３に示すように、一対の取付部材２２を使用し、火災受信機１０の第１操作部１６を覆って保護プレート２４を取付け、第１操作部１６に外部から物が当たっても、誤ったスイッチ操作が行われることを防止している。
【００３０】
（取付部材の取付構造）
図４は操作部に対する保護プレートの組立分解構造を取り出して示した説明図、図５は取付部材を正面、側面及び平面で示した説明図、図６は左右一対で用いる取付部材を示した説明図、図７は操作部の両側に形成したスリット穴の部分を個別に取り出して示した説明図である。
【００３１】
図４に示すように、受信機パネル１２に窪み形成した第１操作部１６の両側の上下のコーナ部にはスリット穴２８を形成しており、スリット穴２８に取付部材２２の嵌合片を横から挿入することで取付けている。
【００３２】
取付部材２２は図５に示すように、金属板を折り曲げ加工して形成しており、短冊状の本体部２２ａの上下から外側（図示左側）に向けて嵌合片２２ｂを形成している。また、嵌合片２２ｂの間となる本体部２２ａから起立して内側（図示右側）に屈曲することでプレート取付部２２ｃを形成し、その上下方向の中央となる位置にねじ穴３０を形成している。
【００３３】
また、取付部材２２は横方向の中心線３４に対し上下に嵌合片２２ｂを形成した本体部２２ａ、及びプレート取付部２２ｃを対象形状とした対象構造としており、これにより同じ取付部材２２を左右を区別することなく、図７に示す第１操作部１６の両側のスリット穴２８に挿入して嵌合することができる。ここで、第１操作部１６の両側に形成したスリット穴２８は、取付部材２２の嵌合片２２ｂを横から挿入可能なスリット幅Ｌ１を有する。
【００３４】
即ち図６（Ａ）は第１操作部１６の左側に取付ける取付部材２２を示しており、図６（Ｂ）は第１操作部１６の右側に取付ける取付部材２２を示しているが、両者は第１操作部１６の配置位置に応じ、嵌合片２２ｂ及びプレート取付部２２ｃの向きが相互に反対向きとなっているが、図５に示した同じ構造の取付部材２２を２個使用している。
【００３５】
このような対象構造をもった取付部材２２を使用することで、第１操作部１６の両側に取付部材２２を取付ける場合に、左右で区別することなく、同じものを使用でき、取付部材２２の製造コストの低減及び作業性の向上を可能とする。
【００３６】
（保護プレートの取付構造）
図８は取付部材による保護プレートの取付構造を側面から取出して示した説明図であり、図８（Ａ）に組立分解構造を示し、図８（Ｂ）に取付構造を示す。
【００３７】
図８（Ａ）に示すように、保護プレート２４を取付ける場合には、まず、受信機パネル１２の第１操作部１６の両側のスリット穴２８に、取付部材２２の嵌合片２２ｂを挿入して嵌合する。このとき、第１操作部１６の下側の小扉２０を閉鎖した状態で取付部材２２を嵌合しており、取付けた取付部材２２は小扉２０の上縁２０ａに当接し、これにより取付部材２２を所定の取付位置に位置決め保持することができる。
【００３８】
続いて、保護プレート２４のビス穴に外側からビス２６を通し、取付部材２２のネジ穴にビス２６をねじ込んで固定する。この保護プレート２４の固定状態で、図８（Ｂ）に示すように、保護プレート２４の下部内側が小扉２０の上部に当接し、小扉２０を保護プレート２４によって閉鎖状態に保持する。
【００３９】
このような保護プレート２４の取付構造により、外部からの物が当たった場合に保護プレート２４で受け、第１操作部１６に設けている操作スイッチの誤操作を確実に防止する。また、外部からの物が小扉２０に当っても、保護プレート２４により閉鎖状態に保持されていることから、小扉２０が誤って開いてしまい、そこに別の物が外から当って操作スイッチが誤操作されることを確実に防止する。
【００４０】
［保護プレートの回動による取付構造］
図９は保護プレートを回動操作により取付ける火災受信機の構造を示した説明図、図１０は図９の火災受信機の操作部両側に形成したスリット穴の部分を個別に取り出して示した説明図である。
【００４１】
本実施形態にあっては、図９（Ｂ）に示すように、右側に取付部材２２を取付けてビス２６により固定した保護プレート２４を準備し、図９（Ａ）に示すように、受信機パネル１０１２に設けた第１操作部１６の右側のスリット穴に、保護プレート２４の右端に固定した取付部材２２の嵌合片を斜め上方から嵌め入れ、続いて、右側を支点に保護プレート２４を下向きに回動し、第１操作部１６の左側に予め取付けている取付部材２２の前に保護プレート２４を位置させ、ビス２６により固定する。このように保護プレート２４を回動して取付けることにより、簡単且つ容易に取付部材２２による保護プレート２４の取付け作業を行うことかできる。
【００４２】
図９（Ａ）に示した保護プレート２４の回動操作による取付作業を実現するため、図１０（Ａ）に示す操作部１６の左側は、図７（Ａ）と同じ、取付部材２２の嵌合片２２ｂに対応し所定のスリット幅Ｌ１のスリット穴２８を形成しているが、図１０（Ｂ）に示す操作部の右側については、取付部材２２の嵌合片２２ｂに対応し所定のスリット幅を超える所定のスリット幅Ｌ２をもつスリット長穴２８ａを形成しており、これにより図９（Ｂ）に示した保護プレート２４の右端に固定した取付部材２２のスリット長穴２８ａに対する斜め上方からの挿入と下向きとなる回動を可能としている。なお、スリット穴２８とスリット長穴２８ａは左右を逆に入れ替えても良い。
【００４３】
［保護ブレードのスライド構造］
（保護プレートのスライドビス穴）
図１１は保護プレートのスライドビス穴により移動自在とした火災受信機を示した説明図、図１２は図１１の火災受信機で保護プレートを移動した状態を示した説明図である。
【００４４】
図１１に示すように、本実施形態の火災受信機１０は、保護プレート２４のビス穴を上方にスライド自在な所定長Ｌのスライドビス穴３２とし、図５に示した取付部材２２のねじ穴３０を上側に形成し、そこにビス２６をねじ込んでおり、第１操作部１６の操作を点検等の際に必要とする場合には、図１２に示すように、ビス２６を緩め、保護プレート２４を取付部材２２に対し上方にスライドして移動し、第１操作部１６を操作可能に開放し、例えば警報停止スイッチ等の操作を可能とする。
【００４５】
また、保護プレート２４を上方にスライドすることで、小扉２０の閉鎖状態が解除され、小扉２０を開いて第２操作部の必要なスイッチ操作を可能とする。
【００４６】
このような保護プレート２４のスライド構造により、点検等で保護プレート２４を設けた火災受信機１０の操作を必要とした場合、保護プレート２４を取り外すことなく、スライドさせることで、第１操作部１６の操作及び小扉２０を開いて第２操作部の操作を簡単に行うことを可能とする。
【００４７】
（取付部材のスライドスリット穴）
図１３は操作部両側に形成した取付部材の移動させるスリット穴の部分を個別に取り出して示した説明図、図１４は図１３の火災受信機で保護プレートを移動した状態を示した説明図である。
【００４８】
本実施形態の保護プレートのスライド構造にあっては、図１３に示すように、第１操作部１６の両側に形成したスリット穴を、取付部材２２を上方に所定長Ｌ３のスライドスリット穴２８ｂとしている。
【００４９】
このような取付部材２２のスライド構造により、第１操作部１６の操作を点検等の際に必要とする場合には、図１４に示すように、保護プレート２４を上方に押し上げることで保護プレート２４は取付部材のスライドにより移動し、第１操作部１６を操作可能に開放し、例えば警報停止スイッチ等の操作を可能とする。また、保護プレート２４を上方にスライドすることで、小扉２０の閉鎖状態が解除され、小扉２０を開いて第２操作部の必要なスイッチ操作を可能とする。
【００５０】
このため、ビス２６を緩めたり、保護プレート２４を取り外すことなく、保護プレート２４をスライドさせることで、第１操作部１６の操作及び小扉２０を開いて第２操作部の操作を簡単に行うことを可能とする。
【００５１】
［本発明の変形例］
上記の実施形態は火災受信機を例にとっているが、装置パネルに操作部を設けた監視盤や制御盤等につき、同様に、取付金具を用いた保護プレートの取付構造を適用しても良い。
【００５２】
また、本発明は上記の実施形態に限定されず、その目的と利点を損なうことのない適宜の変形を含み、更に上記の実施形態に示した数値による限定は受けない。
【符号の説明】
【００５３】
１０：火災受信機
１１：本体
１２：受信機パネル
１４：表示部
１６：第１操作部
１８：第２操作部
２０，１０８：小扉
２２：取付部材
２２ａ：本体部
２２ｂ：嵌合片
２２ｃ：プレート取付部
２４：保護プレート
２６：ビス
２８：スリット穴
２８ａ：スリット長穴
２８ｂ：スライドスリット穴
３０：ビス穴
３２：スライドビス穴
１１０：保護プレート
１１２：取付部材
【図１】
0006545076.tif 000002
【図２】
0006545076.tif 000003
【図３】
0006545076.tif 000004
【図４】
0006545076.tif 000005
【図５】
0006545076.tif 000006
【図６】
0006545076.tif 000007
【図７】
0006545076.tif 000008
【図８】
0006545076.tif 000009
【図９】
0006545076.tif 000010
【図１０】
0006545076.tif 000011
【図１１】
0006545076.tif 000012
【図１２】
0006545076.tif 000013
【図１３】
0006545076.tif 000014
【図１４】
0006545076.tif 000015
【図１５】
0006545076.tif 000016
【図１６】
0006545076.tif 000017